(57)【要約】      （修正有）【課題】足裏を効率的にサポートする凹凸を設けた芯材と、芯材を布その他シート状素材で包み込むように縫製する構造を採用することにより、製造工程が少なく、コストが比較的安く抑えつつ、足裏にフィットし、効果的に歩く姿勢をサポートできる、長時間歩いても疲れにくく履き心地も良いスリッパを提供する。【解決手段】少なくとも足の甲の上半分を覆う大きさを有し、足を挿入したときに爪先側となる側に開口を有したアッパー部１と、布またはレザーその他のシート状物でインソールを包み込んで縫製したソール部２とを備え、インソールは、インソール上面の中央外側に備えられた隆起である立方骨保持部とインソール上面の中央内側近傍に備えられた立方骨保持部より高い隆起である土踏まず保持部とを有し、立方骨保持部と土踏まず保持部との間隙は低く窪んでいる。【選択図】図１
0003199896.tif 000002
【実用新案登録請求の範囲】
【請求項１】
少なくとも足の甲の上半分を覆う大きさを有し、足を挿入したときに爪先側となる側に開口を有したアッパー部と、布またはレザーその他のシート状物でインソールを包み込んで縫製したソール部とを備え、前記インソールは、前記インソール上面の中央外側に備えられた隆起である立方骨保持部と前記インソール上面の中央内側近傍に備えられた前記立方骨保持部より高い隆起である土踏まず保持部とを有し、前記立方骨保持部と前記土踏まず保持部との間隙は低く窪んでいることを特徴とするスリッパ。
【請求項２】
前記アッパーは、一体的に設けられた右覆部と左覆部を左右に有し、前記右覆部と前記左覆部との境界線中程には境界線に沿って設けられた細長い開口の左右両端を縫いあわせて形成された縫い目である縫い合わせ部を有しており、前記縫い合わせ部の縫い目のカーブは足甲上面に沿うカーブとなっていることを特徴とする請求項１に記載のスリッパ。
【請求項３】
前記ソール部は、爪先側先端が上方に反っていてトゥスプリングを形成したことを特徴とする請求項１または請求項２に記載のスリッパ。
【請求項４】
前記ソール部は、踵側先端の断面形状の上側の角が鋭角になっていることを特徴とする請求項１から請求項３いずれか１つに記載のスリッパ。
【請求項５】
前記ソール部の底面に、流線形の複数の溝を備えたアウトソール部を設けたことを特徴とする請求項１から請求項４に記載のスリッパ。
【考案の詳細な説明】
【技術分野】
【０００１】
この考案は、足裏の形状に合わせた立体形状のソール部を備え、土踏まず及び立方骨があたる部分をしっかりサポートして足裏によくフィットする、長時間立ったり歩いたりしても疲れにくい、快適な履き心地のスリッパに関する。
【背景技術】
【０００２】
従来より、一般的に使用されているスリッパは、甲被、中敷、中底及び本底を有し、これらを縫着または接着によって一体化したものであり、外縫い式又は吊りこみ式で製造されている。これらスリッパにおいて、足裏が接する中敷部分は、平らな形状になっていることが多い。平らな中敷は、足をスリッパに挿入する際に、スムーズに足を差し入れられる反面、歩いている際に、スリッパがするりと滑って脱げてしまうことがあり、平らな中敷のスリッパを履いて歩くときは、脱げないよう、無意識のうちに足指に力を入れて踏ん張るように歩いてしまい、長時間歩行すると疲れやすい。また、履き心地も、快適とはいえなかった。
【０００３】
そこで、それらの問題、足裏へのフィット性や履き心地を改善するため、様々なスリッパが考案されている。特許文献１のスリッパは、本底をＪＩＳ規格硬度６０〜６６度の発泡ウレタン製とし、かつこの本底上面に足型形状の凹部が形成されていることによって足裏にフィットするようになっている。また、特許文献２のスリッパは、足の裏にフィットさせ、歩きやすく、履き心地を良くするために、芯素材を設け、その上にスポンジを設けた上から布を貼付し、さらに上から布で覆う構造となっている。
【０００４】
しかし、特許文献１のスリッパは、本底の素材に発泡ウレタンを使用しているため、素材のコストが高くつき、また、製造工程も複雑で、設備費や人件費がかさみ製造コストが高くなる。また、特許文献２のスリッパは、芯素材、スポンジ、二種の布という複雑な多層構造あり、やはり、製造工程が多く、原材料及び製造のコストが高くなる。
【特許文献１】特開平６−１２１７０２号広報
【特許文献２】実願平７−２８７号公報
【考案の概要】
【考案が解決しようとする課題】
【０００５】
そこで、本考案は、上記事情の鑑み、足裏を効率的にサポートする凹凸を設けた芯材と、芯材を布その他シート状素材で包み込むように縫製する構造を採用することにより、製造工程が少なく、コストが比較的安く抑えつつ、足裏にフィットし、効果的に歩く姿勢をサポートできる、長時間歩いても疲れにくく履き心地も良いスリッパを提供する。
【課題を解決するための手段】
【０００６】
本考案のスリッパは、少なくとも足の甲の上半分を覆う大きさを有し、足を挿入したときに爪先側となる側に開口を有したアッパー部と、布またはレザーその他のシート状物でインソールを包み込んで縫製したソール部とを備え、前記インソールは、前記インソール上面の中央外側に備えられた隆起である立方骨保持部と前記インソール上面の中央内側近傍に備えられた前記立方骨保持部より高い隆起である土踏まず保持部とを有し、前記立方骨保持部と前記土踏まず保持部との間隙は低く窪んでいることを特徴とする。
【０００７】
この考案によれば、立方骨保持部の隆起が足裏の立方骨の部分をサポートし、また、土踏まず保持部の隆起が足裏の土踏まずにフィットして、足裏の形状に沿って足裏をサポートするため、歩行の際に、足からスリッパが滑り落ちることがなく、足指に余分な力が入らず、長時間歩いても足が疲れにくい。また、足裏の土踏まずの部分及び立方骨の部分を下から支えるので、快適な履き心地を得ることができる。
【０００８】
また、この考案のスリッパの前記アッパーは、一体的に設けられた右覆部と左覆部を左右に有し、前記右覆部と前記左覆部との境界線中程には境界線に沿って設けられた細長い開口の左右両端を縫いあわせて形成された縫い目である縫い合わせ部を有しており、前記縫い合わせ部の縫い目のカーブは足甲上面に沿うカーブとなっていることを特徴とする。
【０００９】
この考案によれば、足の甲のカーブにアッパーがフィットするので、快適な履き心地を提供することができる。また、アッパー部材は、１枚のシートの中央部分に開口を設けて左右を縫い合せる構成にすれば、２枚のアッパー部材を左右に並べて縫い合わせる構成よりも部材が少ない分製造工程が少なく済みで、左右の部材の柄あわせも必要なく、製造が簡単である。
【００１０】
また、この考案の前記ソール部は、爪先側先端が上方に反っていてトゥスプリングを形成したことを特徴とする。
【００１１】
この考案によれば、ソール部先端と床との間にスペースが生じていることで、歩行の際、ソール部先端が地面にひっかかりにくく、つまずいて転んだり、スリッパが地面の凹凸や障害物にひっかかって脱げたりすることを予防することができる。
【００１２】
また、この考案の前記ソール部は、踵側先端の断面形状の上側の角が鋭角になっていることを特徴とする。
【００１３】
この考案によれば、ソール底面の踵側が、すこし上方に反っているので、歩行の際、かかとの着地が安定し、床を蹴りだす動作がスムーズとなり、歩きやすく、歩行による疲労が最小限となる。
【００１４】
また、この考案の前記ソール部は、爪先側先端より踵側先端のほうが厚くなっていることを特徴とする。
【００１５】
この考案によれば、スリッパのソール部の踵側先端の厚みが、爪先側よりも厚くなっていることで、歩行する際、重心移動がすばやくでき、軽やかな歩行を行うことができ、長時間歩いても疲れにくいという効果が期待できる。
【図面の簡単な説明】
【００１６】
【図１】この考案の実施形態１にかかるスリッパ１００の斜視図である。
【図２】（ａ）は、図１に示したスリッパ１００の右足用スリッパ１０１の正面図であり、（ｂ）は、アッパー部１の縫製前の展開図である。
【図３】図１に示したスリッパ１００の右足用スリッパ１０１の右側面図である。
【図４】図１に示したスリッパ１００の右足用スリッパ１０１の左側面図である。
【図５】図１に示したスリッパ１００の右足用スリッパ１０１の底面図である。
【図６】図１に示したスリッパ１００の正面図である。
【図７】図１に示したスリッパ１００の背面図である。
【図８】図１に示したスリッパ１００の右足用スリッパ１０１のインソール３の平面図である。
【図９】図８に示したスリッパ１００のインソール３の平面参考図である。
【図１０】図８に示したインソール３のＡ−Ａ断面図である。
【図１１】図８に示したインソール３のＢ−Ｂ断面図である。
【図１２】図８に示したインソール３のＣ−Ｃ断面図である。
【図１３】図８に示したインソール３のＤ−Ｄ断面図である。
【図１４】図８に示したインソール３の斜視図である。
【図１５】図８に示したインソール３の斜視図である。
【図１６】図１に示したスリッパ１００のソール部２の土踏まず保持部２２及び立方骨保持部２３が、足裏のどの部分にあたるかを示す足裏の参考図である。
【図１７】図１に示したスリッパ１００を使用している状態を示す参考図である。
【図１８】この考案の実施形態２にかかるスリッパ２００の斜視図である。
【図１９】図１８に示したスリッパ２００の右足用スリッパ２０１の右側面図である。
【図２０】図１８に示したスリッパ２００の底面図である。
【考案を実施するための形態】
【００１７】
以下、本考案を実施するための最良の形態について、実施の形態毎に説明する。
【００１８】
（実施の形態１）
図１は、この考案の実施形態１にかかるスリッパ１００の斜視図である。図２は、図１に示したスリッパ１００の右側面図であって、図３（ａ）は、図１に示したスリッパ１００の正面図であり、図３（ｂ）は、図１に示したスリッパ１００のアッパー部の縫製前の展開図である。。図４は、図１に示したスリッパ１００の左側面図であって、図５は、図１に示したスリッパ１００の底面図である。図６は、図１に示したスリッパ１００の正面図であって、図７は、図１に示したスリッパ１００の背面図である。
【００１９】
図１に示すように、本考案の実施の形態１のスリッパ１００は、右足用スリッパ１０１と左足用スリッパ１０２からなり、それぞれ、足を載置するソール部２、ソール部２の上側に設けられたアッパー部１を主に有する。ソール部２の内部にはインソール３が内包されている。
【００２０】
一般的なスリッパは、右足用も左足用も全く同一の形状であり、それぞれ、左右対称の楕円形状であることが多く、左右を逆にしても履くことができるが、本考案の実施の形態１のスリッパ１００は、右足用と左足用は、同一の形状ではなく、鏡像対称の形状となっていて、左右逆にして使用することはできない。実施の形態１のスリッパ１００は、ソール部２の上面に足裏の形態に沿った凹凸が設けられており、足の内側と外側それぞれ違う大きさの凹凸が設けられていて、足裏に、ぴったりとフィットするようになっている。
【００２１】
図２（ａ）に示すように、アッパー部１の中央には、足挿入部１５から先端開口部１４に向かって、略直線形状の縫い合わせ部１３が設けられている。このアッパー部１の縫製前の展開図は、図２（ｂ）に示すように、１枚のシート状の布またはレザー生地からなる扇形状である。扇形状の中央には、足挿入部１５から先端開口部１４に向かって細長い開口が設けられている。この開口の両端である縫い合わせ部右端縁１３ａと縫い合せ部左端縁１３ｂをぴったりと合わせて縫い合せたものがと縫い合わせ部１３となる。
【００２２】
アッパー部１は、１枚の部材で構成されており、縫製する部分は縫い合せ部右端縁１３ａと縫い合せ部左端縁１３ｂの部分のみである。縫い合せ部右端縁１３ａと縫い合せ部左端縁１３ｂは、アッパー部１の中央近傍に設けられた開口であるので、縫い合わせる際に、位置ズレが生じにくく、縫製作業が容易であって、簡単に、足の甲のカーブに沿った形状を形成することができる。一般的に、足の甲のカーブにあわせたアッパーを作成するためには、左右の部材を別々に用意して中央に境界が来るように左右部材を縫い合わせて形成することが多いが、左右で別々の部材を用意すると、ぴったりと端と端を縫い合わせるのに位置あわせに細心の注意が必要であり、作業工程の難度が上がる。また、アッパー部１に、柄物の生地を使用する際は、柄あわせにも気を配る必要が生じるため、さらに細かい作業となり、生地からアッパー部１の型をとるのに、不要な切れ端が多く生じて不経済である。本考案のスリッパ１００のアッパー部１は、１枚物の部材から形成できるので、そうった柄あわせの苦労や不要な切れ端が生じず、簡単に低コストで、足の甲のカーブにあったアッパー部１を作成することができる。
【００２３】
図３に示すように、本考案のスリッパ１００の右足用スリッパ１０１は、右側面視、足の内側側面である側面内側部２７の中央部分の厚みは、爪先側及び踵側の厚みよりも厚くなっている。本考案のスリッパ１００のソール部２の上面すなわち足裏が接する部分には、足裏の形状にあわせた凹凸が設けられていて、ソール部２の中央近傍がひときわ厚くなっているのは、足の内側の土踏まずにあたる部分が、大きく隆起しており、該部分のソール部２の厚みが周囲に比して厚くなっているためである。ソール部２は、芯材であるインソール３を布地やレザー生地などのシート状物でくるんで縫製されており、ソール部２の側面内側部２７には、縫製の継ぎ目である側面内側縫い合せ部２８が設けられている。本考案のスリッパ１００は、従来のスリッパよりもソール部２の厚みが厚くなっており、そのことで、歩行の際に足にかかる衝撃を和らげ、安定感が得られて履き心地が良いことが特徴である。
【００２４】
また、本考案のスリッパ１００のソール部２には、爪先に、適度なトゥスプリングが設けられており、床と爪先先端との間にスペースが生じていて、歩きやすく、つまずきにくくなっている。ソール部２の爪先先端底面と床とで形成される角度ａは、１０度から２０度の間が良く、２０度前後が最適である。適度なトゥスプリングを設けたことで、足の蹴りだしが行いやすく、重心移動がスムーズであって、かかと部への着地が安定する効果が期待できる。
【００２５】
さらに、ソール部２の踵側先端の断面形状は、上側の角が鋭角であって下側の角が鈍角となっている。すなわち、ソール部２の踵側先端の断面形状の高さ方向の辺と床面とが形成する角度ｂは、９０度よりも小さい角度である。ソール部２の踵側先端の断面形状の高さ方向の辺と、床面とで形成する角度ｂは６０度から８０度が良く、最適な角度は７０度前後である。
【００２６】
図４に示すように、本考案のスリッパ１００の右足用スリッパ１０１は、左側面視、足の外側側面であるソール部２の側面外側部２９の厚みは爪先先端の厚みが、踵側先端の厚みよりも厚くなっている。側面外側部２９の中央部分の厚みも、すこしだけ周囲より厚くなっているが、内側側面部２７の中央部ほどではない。また、ソール部２の爪先側先端は、すこし上方に反っていて、適度なトゥスプリングが設けられている。
【００２７】
図５に示すように、ソール部２の底面２６は、足裏よりもひとまわり大きい形状となっている。また、底面２６の足爪先側半分の面積は、足踵側半分の面積より大きくなっている。底面２６に用いる素材は、室内履き用には、床面を傷つけない布素材で、滑りにくい素材を使用すると良い。布地に滑り止めゴムを部分的に施したものや、レザー生地が用いられる。ゴム素材としても良い。
【００２８】
図６に示すように、スリッパ１００の右足用スリッパ１０１と左足用スリッパ１０２は、鏡像対称の形状となっている。正面視、アッパー部１には先端開口部１４が設けられているので、足先にあたる部分は、アッパー部１がなく、風通しが良くなっている。また、ソール部２の上面であって足底が触れる面は、足の内側の土踏まずがあたる部分に隆起が設けられ、土踏まず保持部２２となっており、土踏まずをサポートしている。さらに、ソール部２の上面であって足の外側中央近傍にある、足裏の立方骨があたる部分にも、隆起が設けられ、立方骨保持部２３となっている。
【００２９】
立方骨保持部２３の隆起の大きさは、土踏まず保持部２２よりも小さい隆起である。立方骨は、踵骨と第４および第５中足骨との間にある立方体形状の骨であり、足裏の中ほど外側にあって、足裏外観上は隆起を形成しておらず確認しにくい場所にあるが、この、足裏の立方骨がある部分を下から保持しサポートすることは、歩行姿勢の矯正にとても効果がある。立方骨のある部分をソール部２の立方骨保持部２３によって、下から、ほどよい力でサポートすることによって、裸足で歩行する際に比べて、若干後ろに重心をかけた姿勢での歩行となる。裸足で歩行する際は、前よりの重心移動となり、足を蹴りだした際、踵に多くの重心がかかるが、本考案のスリッパ１００を履いて歩行すると、後ろよりの重心移動となり、足を蹴りだした際、踵に多くの重心がかからず、爪先と踵の重心バランスが改善される。
【００３０】
図７に示すように、スリッパ１００のソール部２は、踵側先端の厚みが、爪先側先端の厚みよりも厚くなっている。踵側のソール部２の厚みが厚くなっていることによって、踵をしっかりと保護し、歩行の際に踵にかかる衝撃を和らげることができる。また、アッパー部１の足挿入部１５は、足の大きさを略同じか若干の余裕をもった空間を形成している。足挿入部１５が、適度な大きさの空間を確保していることで、足をスムーズに挿入でき、かつ、歩行の際は、ソール部２の土踏まず保持部２２と立方骨保持部２３とが足裏にフィットしてアッパー部１とソール部２との間隙に足をしっかりと包み込んでいるので脱げにくく、快適な履き心地を提供することができる。
【００３１】
次に、スリッパ１００のソール部２に内包されているインソール３について説明する。
【００３２】
図８は、図１に示したスリッパ１００のインソール３の平面図であるって、図９は、図８に示したスリッパ１００のインソール３の平面参考図である。図１０は、図８に示したスリッパ１００のインソール３のＡ−Ａ断面図であって、図１１は、図８に示したスリッパ１００のインソール３のＢ−Ｂ断面図である。図１２は、図８に示したスリッパ１００のインソール３のＣ−Ｃ断面図であって、図１３は、図８に示したスリッパ１００のインソール３のＤ−Ｄ断面図である。図１４及び図１５は、図８に示したスリッパ１００のインソール３の斜視図である。
【００３３】
図８に示すように、スリッパ１００のソール部２に内包されているインソール３は、足型よりひとまわり大きい草履形状である。図８から図１３のインソール３は、右足用スリッパ１０１のインソール３である。足指があたる部分には、凸部が設けられており、足指ガイド３５が設けられている。インソール３の素材は、硬質の素材で、強度が担保できるものが良い。
【００３４】
図９に示すように、インソール３は、平らではなく、土踏まずがあたる部分である土踏まず保持部３２及び足裏の立方骨があたる部分である立方骨保持部３３は、盛り上がっており隆起が設けられている。隆起の高さは、立方骨保持部３３よりも土踏まず保持部３２のほうが高い。また、隆起の範囲も、立方骨保持部３３よりも土踏まず保持部３２のほうが広くなっている。
【００３５】
図１０に示すように、インソール３は、断面視、両端が高く、中央が低くなっている。図１０のインソール３は、右足用スリッパ１０１のインソール３であるので、Ａ−Ａ断面視、右側にあるのは立方骨保持部３３であり、左側にあるのは土踏まず保持部３２であって、左端先端すなわち土踏まず保持部３２の端の高さは、右端先端すなわち立方骨保持部３３の端の高さよりも高くなっている。土踏まず保持部３２と立方骨保持部３３との間は、低く凹んでいる。
【００３６】
図１１に示すように、インソール３のＢ−Ｂ断面視すなわち、足の外側に近い側の断面視、インソール３は、両端が高く、中ほどが凹んだ器形状であって、さらに、中ほどの凹み部分の中央に、小高い隆起である立方骨保持部３３が設けられた形状となっている。また、インソール３の両端は、踵側に近いほうの先端の高さが、爪先側先端の高さよりも高くなっている。さらに、インソール３の踵側先端の立ち上がりの角度、すなわち、床面と踵側先端３４とで構成する角の角度である角度ｃは、約７０度となっている。床面と踵側先端３４とで構成する角の角度は、９０度よりも鋭角であることが望ましく、６０度から８０度の間が良い。最適な角度は７０度前後である。
【００３７】
図１２に示すように、インソール３のＣ−Ｃ断面すなわち、足の中央部分の断面は、両端が高く、中ほどが凹んだ器形状となっている。両端以外の部分は、略平坦であるが、中央部分が若干凹んでいる。爪先側先端は、上方にすこし反っておりトゥスプリングを形成している。また、インソール３の踵側先端の立ち上がりの角度、すなわち、床面と踵側先端３４とで構成する角の角度は、約７０度となっている。床面と踵側先端３４とで構成する角の角度は、９０度よりも鋭角であることが望ましく、６０度から８０度の間が良い。最適な角度は７０度前後である。
【００３８】
図１３に示すように、インソール３のＤ−Ｄ断面、すなわち、足の内側に近い側の断面視、インソール３は、両端が高く、中ほどが凹んだ器形状であって、さらに、中ほどの凹み部分の中央に、小高い隆起である土踏まず保持部３２が設けられた形状となっている。土踏まず保持部３２の隆起の高さは、図１１の立方骨保持部３３の隆起の高さよりも高くなっている。また、インソール３の両端は、踵側に近いほうの先端の高さが、爪先側先端の高さよりも高くなっている。さらに、インソール３の踵側先端の立ち上がりの角度、すなわち、床面と踵側先端３４とで構成する角の角度である角度は、約７０度となっている。床面と踵側先端３４とで構成する角の角度は、９０度よりも鋭角であることが望ましく、６０度から８０度の間が良い。最適な角度は７０度前後である。
【００３９】
図１４及び図１５に示すように、インソール３は、上面が足裏の形状に沿った凹凸を有し、足裏にフィットするように作られている。インソール３は、使用者の年齢や性別、体型にあわせて、大きさや凹凸の形状を変えると良い。インソール３は、プラスチック樹脂や厚手の不織布等、一定の硬度をもった素材が使用される。足指があたる部分に設けられた足裏ガイド部３５は、足指を置きやすくするための凸部であるが、省略してもよい。
【００４０】
図１６は、図１に示したスリッパ１００のソール部２の土踏まず保持部２２及び立方骨保持部２３が足裏のどの部分にあたるかを示す足裏の参考図である。図１７は、図１に示したスリッパ１００を使用している状態を示す参考図である。
【００４１】
図１６に示すように、足裏には内側に土踏まずＦ２があり、立方骨は足裏のＦ１の部分にある。立方骨は、
踵骨の前方に位置し、後方で踵骨と関節を形成する他、 前面では、第４及び第５中足骨と関節し、内側では外側楔状骨と関節している。足裏には、体全体の重心がかかるが、重心の位置を立方骨の部分に集めると、歩行の際に、重心移動がスムーズになり、長時間歩いても疲れにくい歩行姿勢とすることができる。したがって、立方骨があたる部分を下から強すぎない適度な力で保持することが、正しい歩行姿勢をサポートする際に重要である。本考案の実施のスリッパ１００は、芯材として使用されているインソール３の立方骨があたる部分に、適度な高さの隆起である立方骨保持部３３が設けられていることによって、足をしっかりと包みこんでフィットさせ、さらに、疲れにくい歩行姿勢をサポートすることができる。
【００４２】
図１７に示すように、本考案のスリッパ１００を履いて歩行すると、裸足で歩行する際よりも重心が若干後ろにくる。そのため、背筋が伸びて、足裏に左右の圧力が均等に分散され、重心バランスの改善が期待できる。また、正しい歩き方をすると、おしりや太もも、ふくらはぎの筋肉をバランスよく使うので、下半身の引き締め効果も期待できる。
【００４３】
（実施の形態２）
次に、図１８から図２０を示しながら、実施の形態２のスリッパ２００について説明する。
【００４４】
図１８は、この考案の実施形態２にかかるスリッパ２００の斜視図である。図１９は、図１８に示したスリッパ２００の右足用スリッパ２０１の右側面図である。図２０は、図１８に示したスリッパ２００の底面図である。
【００４５】
実施の形態２のスリッパ２００は、底面に、ゴム底の室外用アウトソール２６ａを、付け加えた室外履き兼用のスリッパである。図１８に示すように、スリッパ２００は、底素材として、硬度の高い素材でできた室外用アウトソール２６ａが使われている。その他の部分、アッパーの部分やインソール部分は、実施の形態１のスリッパ１００と同じ構成であるため説明を省略する。
【００４６】
図１９に示すように、スリッパ２００は、インソールを包み込んで縫製したソール部２の下面に、さらに、室外用アウトソール２６ａを接着して、室内でも屋外でも安全に快適に歩行できるよう工夫されたものである。室外用アウトソール２６ａは、靴底に用いられる硬度の高い素材を使用している。室外用アウトソール２６ａの素材としては、ゴム底、革底、ウレタン底及びスポンジ底などが用いられる。
【００４７】
図２０に示すように、室外用アウトソール２６ａには、流線形状の溝である流線溝２６ｂが並列して複数設けられている。とくに重心のかかる部分である爪先の親指の下部分及び踵部分には、複数の円を描くように設けられた円形溝２６ｃが設けられている。これら流線溝２６ｂや円形溝２６ｃが設けられていることによって、歩行した際に、すべりにくくなっている。したがって、スリッパ２００は、室内だけでなく、室外でも履くことができる、滑りにくく安全に歩行できるスリッパである。
【００４８】
室外用アウトソール２６ａの流線溝２６ｂや円形溝２６ｃについて、溝の形状は、流線や円周形状に限定されず、直線形状その他の形状の溝でも良い。また、溝ではなく、凹凸を設けても良い。
【００４９】
本実施の形態では、スリッパの底面を、室内履き用の底面を有するものと、室外履き用の底面を有するものを、それぞれ別個に作成したが、底面を着脱可能として、室内用アウトソールと、屋外用アウトソールを、適時付け替えて使用できるようにしても良い。
【符号の説明】
【００５０】
１００，２００    スリッパ
１０１，２０１  右足用スリッパ
１０２，２０２  左足用スリッパ
１  アッパー部
１１    右側覆部
１１ａ  右側覆部端縁
１２    左側覆部
１２ａ  左側覆部端縁
１３    縫い合わせ部
１３ａ  縫い合わせ部右端縁
１３ｂ  縫い合わせ部左端縁
１４    先端開口部
１５    足挿入部
２  ソール部
２１    ソール先端
２２    土踏まず保持部
２３    立方骨保持部
２４    踵保持部
２６        底面
２６ａ    室外用アウトソール   
２６ｂ    流線形溝
２６      円形溝    
２７    側面内側部
２８    側面内側縫い合せ部
２９    側面外側部
３    インソール
３１    インソール先端
３２    土踏まず保持部
３３    立方骨保持部
３４    踵保持部
３５    足指ガイド
３６    インソール裏面
Ｈ    人
Ｆ    足
Ｆ１  立方骨
Ｆ２  土踏まず
【図１】
0003199896.tif 000003
【図２】
0003199896.tif 000004
【図３】
0003199896.tif 000005
【図４】
0003199896.tif 000006
【図５】
0003199896.tif 000007
【図６】
0003199896.tif 000008
【図７】
0003199896.tif 000009
【図８】
0003199896.tif 000010
【図９】
0003199896.tif 000011
【図１０】
0003199896.tif 000012
【図１１】
0003199896.tif 000013
【図１２】
0003199896.tif 000014
【図１３】
0003199896.tif 000015
【図１４】
0003199896.tif 000016
【図１５】
0003199896.tif 000017
【図１６】
0003199896.tif 000018
【図１７】
0003199896.tif 000019
【図１８】
0003199896.tif 000020
【図１９】
0003199896.tif 000021
【図２０】
0003199896.tif 000022